(57)【要約】【課題】不必要なまでに内部乾燥運転を行う無駄をなくし、また、内部乾燥運転の際に、不快な臭いの発生を抑制できる除湿機を提供する。【解決手段】圧縮機４、凝縮器５、絞り装置１４、蒸発器６からなる冷凍サイクルを形成し、送風機７により発生する空気循環風路９中に蒸発器６、凝縮器５を配置し、空気中の水分を前記蒸発器６で凝縮させ、また、低温時には前記蒸発器６に付着した霜を取り除く別の冷凍サイクルを形成し、除霜を行うようにした除湿機において、前記除湿機の運転オフ時に、該除湿機本体１の内部を乾燥させる内部乾燥運転を任意に行うことができる内部乾燥スイッチ１２を備えている。【選択図】        図２
2004245476.tif 000002
【特許請求の範囲】
【請求項１】
圧縮機、凝縮器、絞り装置、蒸発器からなる冷凍サイクルを形成し、送風機により発生する空気循環風路中に蒸発器、凝縮器を配置し、空気中の水分を前記蒸発器で凝縮させ、また、低温時には前記蒸発器に付着した霜を取り除く別の冷凍サイクルを形成し、除霜を行うようにした除湿機において、
前記除湿機の運転オフ時に、該除湿機本体の内部を乾燥させる内部乾燥運転を任意に行うことができる内部乾燥スイッチを備えてなることを特徴とする除湿機。
【請求項２】
前記内部乾燥スイッチは、除湿運転中に操作すると、除湿運転終了後の内部乾燥自動運転を設定することを特徴とする請求項１記載の除湿機。
【請求項３】
前記内部乾燥スイッチの操作による内部乾燥運転の運転状態又は設定状態を表示する表示手段を備えてなることを特徴とする請求項１又は２記載の除湿機。
【請求項４】
前記内部乾燥運転は、前記送風機のみの運転と前記圧縮機のみの運転の組み合わせからなり、最初は送風機のみの運転を行うようにしたことを特徴とする請求項１記載の除湿機。
【請求項５】
前記内部乾燥運転は、前記送風機のみの運転と前記圧縮機のみの運転の組み合わせからなり、最初と最後は送風機のみの運転を行うようにしたことを特徴とする請求項１記載の除湿機。
【発明の詳細な説明】
【０００１】
【発明の属する技術分野】
本発明は、圧縮機、凝縮器、絞り装置、蒸発器からなる冷凍サイクルを備え、送風機により発生する空気循環風路中に蒸発器、凝縮器を配置し、空気中の水分を前記蒸発器で凝縮させて取り除くようにした除湿機に関するものである。
【０００２】
【従来の技術】
従来の除湿機においては、除湿運転を終了する度に、除霜運転（デフロスト）により内部乾燥運転を行い、蒸発器やドレンパンに付着した水分を蒸発させて本体内部を乾燥させ、カビ発生を防止するように構成している。（例えば、特許文献１参照）。
【０００３】
【特許文献１】
特開２０００−２８３５２５号公報（第２−３頁、図１−図３）
【０００４】
【発明が解決しようとする課題】
上述したように、従来の除湿機においては、除湿運転を終了する度に、内部乾燥運転を自動的に行って、蒸発器やドレンパンに付着した水分を蒸発させて本体内部を乾燥させ、カビ発生を防止するように構成しているため、除湿機を短時間の使用でも、除湿機の運転を停止すれば、自動的に内部乾燥運転が開始され、不必要なまでに内部乾燥運転を行ってしまうという無駄があった。また、内部乾燥運転は、除霜運転（デフロスト）により行っており、除霜運転の開始時には、まだ蒸発器に水分が多く付着している状態で蒸発器にホットガスが流れることで、強い臭いが発生し、使用者が不快感を感じるという問題点があった。
【０００５】
本発明は、上記のような問題点を解消するためになされたもので、不必要なまでに内部乾燥運転を行う無駄をなくし、また、内部乾燥運転の際に、不快な臭いの発生を抑制できる除湿機を提供することを目的としている。
【０００６】
【課題を解決するための手段】
本発明に係る除湿機は、圧縮機、凝縮器、絞り装置、蒸発器からなる冷凍サイクルを形成し、送風機により発生する空気循環風路中に蒸発器、凝縮器を配置し、空気中の水分を前記蒸発器で凝縮させ、また、低温時には前記蒸発器に付着した霜を取り除く別の冷凍サイクルを形成し、除霜を行うようにした除湿機において、前記除湿機の運転オフ時に、該除湿機本体の内部を乾燥させる内部乾燥運転を任意に行うことができる内部乾燥スイッチを備えてなるものである。
【０００７】
【発明の実施の形態】
実施の形態１．
図１は、本発明の実施の形態１における除湿機の構成図である。
図１において、空気吸引口２と空気吐出口３を有する除湿機本体１内に、圧縮機４、凝縮器５、蒸発器６、送風機７、排水タンク８が内蔵されている。前記凝縮器５と蒸発器６は送風機７による発生する空気循環風路９中にそれぞれ配置されている。
【０００８】
図２は、本発明の実施の形態１における除湿機の制御回路のブロック図である。
図２において、制御部１０には、除湿機の運転を指示する運転メインスイッチ１１、内部乾燥運転を指示するスイッチ１２からの信号が入力され、前記圧縮機４、送風機７、内部乾燥運転の状態を表示する表示器１３を制御する。
【０００９】
図３は、本発明の実施の形態１における除湿機の冷凍サイクル回路図である。
冷凍サイクル回路は、図３に示すように、圧縮機４、凝縮器５、絞り装置１４、および蒸発器６を順次環状に接続してなり、蒸発器６を本体１の空気吸込口２側に配置し、凝縮器５を本体１の空気吐出口３側に配置している。また、除霜運転時は、蒸発器６にホットガスを供給できるように、凝縮器５と絞り装置１４をバイパスするバイパス回路１５を接続し、かつバイパス回路１５の途中には除霜運転時に開かれる電磁弁１６を設けている。なお、除霜運転は蒸発器６の管温を検知する温度センサ１７が例えば０℃を検知してから所定時間が経過すると、蒸発器６に着霜したと判断して除霜運転を開始し、前記温度センサ１７が例えば１０℃を検知すると、蒸発器６から霜が取り除かれたと判断して除霜運転を停止する。
【００１０】
次に、本実施の形態１における除湿機の内部乾燥運転の動作について説明する。
まず、内部乾燥運転は、除湿運転のオフ時に、内部乾燥スイッチ１２を押下すると、内部乾燥運転を開始する。この時、内部乾燥運転の状態を表示する表示器１３が点灯または点滅をして内部乾燥運転中であることを表示する。内部乾燥運転は予め設定された一定時間運転を行い、一定時間が経過すると自動的に停止する。この時、内部乾燥運転の状態を表示する表示器１３は消灯する。なお、内部乾燥運転中に途中停止したいときは、内部乾燥運転スイッチ１２をもう一度押すと途中停止となる。この時も内部乾燥運転の状態を表示する表示器１３は消灯する。
【００１１】
図４は、本発明の実施の形態１における除湿機の内部乾燥運転を行う際のフローチャートの一例である。
図４において、まず、除湿運転を行い、蒸発器６に水分が付着した状態となった後（Ｓ１）、運転メインスイッチ１１を押下して除湿運転を停止する（Ｓ２）。ここで、内部乾燥運転スイッチ１２を押下する（Ｓ３）。内部乾燥スイッチ１２を押下すると、内部乾燥運転を開始する（Ｓ４）。この時、内部乾燥運転の状態を表示する表示器１３が点灯または点滅して内部乾燥運転中であることを表示する（Ｓ５）。内部乾燥運転は予め設定された一定時間運転を行い、一定時間が経過すると（Ｓ６）、自動的に内部乾燥運転を停止し（Ｓ７）、内部乾燥運転の状態を表示する表示器１３は消灯し（Ｓ８）、内部乾燥運転を終了する。
【００１２】
このように、内部乾燥運転は、除湿運転のオフ時に、内部乾燥スイッチ１２を押下することにより、いつでも必要なときに内部乾燥運転を開始させることができ、不必要なまでに内部乾燥運転を行ってしまうという無駄をなくせる。
【００１３】
図５は、本発明の実施の形態１における除湿機の内部乾燥運転の一例を示すタイムチャートである。
図５において、まず、内部乾燥運転を開始して最初の時間ｔ１〜ｔ２間は送風機７のみを運転して蒸発器６に送風のみを供給し、蒸発器６に付着している水分を風圧で除水するとともに、ごく一部の水分は蒸発器６よりも温度の高い室内の空気で穏やか気化させる。これにより、臭いの発生が抑制される。
【００１４】
次に、時間ｔ２〜ｔ３間は、送風機７の運転を停止し、圧縮機４のみを運転する。ここでは、送風により少なくなった水分を蒸発させるべく、蒸発器６にホットガスを供給して蒸発器６に熱を加える。具体的には、図３中、破線で冷媒の流れを示す除霜運転（デフロスト）を行い、圧縮機４入力を冷媒の温度上昇に換えての穏やかな加熱を行う。これにより、蒸発器６は熱を持ち、同時に蒸発器６のフィンに付着した水分への加熱が行われる。ここでは、原則として水分を蒸発させるために加熱した熱が、排出される空気に逃げてしまうのを防ぐため、送風は行わない。
【００１５】
その後、時間ｔ３〜ｔ４間は、送風機７と圧縮機４の両方とも停止する。ここでは、蒸発器６の潜熱を用いて残りの水分に気化熱を与えて、水分を蒸発させる。最後に、時間ｔ４〜ｔ５間は、再び送風機７のみの運転を行い、蒸発器６が冷却されて再び水分が付着する前に送風を行うことによって、本体１の内部に滞留している高湿度な空気を一掃し、水分の再付着を抑制する。
【００１６】
このように、内部乾燥運転を、最初は送風機７のみの運転、次に、前記圧縮機４のみの運転、次に全休止、最後にもう一度、送風機７のみの運転を行うことによって、不快な臭いの発生を抑制しつつ、内部乾燥を効果的に行うことができる。
【００１７】
実施の形態２．
図６は、本発明の実施の形態２における除湿機の内部乾燥運転を行う際のフローチャートの一例である。本実施の形態２は、除湿運転終了後の内部乾燥自動運転を設定できるようにしたものである。
図６において、除湿運転中に（Ｓ２１）、内部乾燥運転スイッチ１２を押下すると（Ｓ２２）、除湿運転終了後の内部乾燥自動運転が設定される（Ｓ２３）。この時に、内部乾燥自動運転の設定状態を表示器２が点灯して表示する（Ｓ２４）。
次に、除湿運転終了後の内部乾燥自動運転が設定されているときに、運転メインスイッチ１１を押下して（Ｓ２５）、除湿運転を終了すると（Ｓ２６）、自動的に内部乾燥運転を開始する（Ｓ２７）。この内部乾燥運転は一定時間内に一連の処理を行い、一定時間が経過すると（Ｓ２８）、自動的に停止する（Ｓ２９）。この時、内部乾燥運転の状態を表示する表示器２は消灯する（Ｓ３０）。
【００１８】
なお、内部乾燥自動運転の設定を解除したいときや、内部乾燥運転中に内部乾燥運転を途中停止したいときは、もう一度、内部乾燥運転スイッチ１２を押下することで、内部乾燥自動運転の設定解除や内部乾燥運転の途中停止が行える。この時には内部乾燥運転の状態を表示する表示器１３は消灯する。
このように、内部乾燥運転スイッチ１２を除湿運転中に押下することで、必要に応じて、除湿運転終了後の内部乾燥自動運転を設定できるので、上記実施の形態１と同様、必要な場合にのみ内部乾燥運転を設定でき、無駄な内部乾燥運転をなくすことができる。
【００１９】
【発明の効果】
以上のように本発明に係る除湿機は、圧縮機、凝縮器、絞り装置、蒸発器からなる冷凍サイクルを形成し、送風機により発生する空気循環風路中に蒸発器、凝縮器を配置し、空気中の水分を前記蒸発器で凝縮させ、また、低温時には前記蒸発器に付着した霜を取り除く別の冷凍サイクルを形成し、除霜を行うようにした除湿機において、前記除湿機の運転オフ時に、該除湿機本体の内部を乾燥させる内部乾燥運転を任意に行うことができる内部乾燥スイッチを備えていることによって、除湿運転後などの運転オフ時に、使用者が必要に応じて内部乾燥運転スイッチを操作することによって、カビの発生を抑制する内部乾燥運転を任意に行うことができ、不必要なまでに内部乾燥運転を行ってしまうという無駄がない。
【００２０】
また、本発明に係る除湿機は、前記内部乾燥運転を、前記送風機のみの運転と前記圧縮機のみの運転を組み合わせて構成し、最初に送風機のみを運転させるようにしたことで、内部乾燥運転時における不快な臭いの発生を大幅に抑制することができる。
【図面の簡単な説明】
【図１】本発明の実施の形態１における除湿機の構成図である。
【図２】本発明の実施の形態１における除湿機の制御回路のブロック図である。
【図３】本発明の実施の形態１における除湿機の冷凍サイクル回路図である。
【図４】本発明の実施の形態１における除湿機の内部乾燥運転を行う際のフローチャートの一例である。
【図５】本発明の実施の形態１における除湿機の内部乾燥運転の一例を示すタイムチャートである。
【図６】本発明の実施の形態２における除湿機の内部乾燥運転を行う際のフローチャートの一例である。
【符号の説明】
１  除湿機本体
４  圧縮機
５  凝縮器
６  蒸発器
７  送風機
９  空気循環風路
１０  制御部
１１  運転メインスイッチ
１２  内部乾燥スイッチ
１３  表示器（表示手段）
【図１】
2004245476.tif 000003
【図２】
2004245476.tif 000004
【図３】
2004245476.tif 000005
【図４】
2004245476.tif 000006
【図５】
2004245476.tif 000007
【図６】
2004245476.tif 000008